(57)【要約】【課題】防音性能に優れた防音カーペットを提供すること。【解決手段】表側繊維基材１１裏面に内側繊維基材１３およびまたはバッキング層１５を透孔性接着シート１４を介して接着したことを特徴とする。【選択図】    図２
2004154446.tif 000002
【特許請求の範囲】
【請求項１】
表側繊維基材裏面に内側繊維基材およびまたはバッキング層を透孔性接着シートを介して接着したことを特徴とする防音カーペット。
【請求項２】
透孔性接着シートが蜘蛛の巣状接着剤からなり、接着時の熱およびまたは圧力で薄膜化されて成ることを特徴とする請求項１記載の防音カーペット。
【請求項３】
防音カーペットの表裏を貫通する多数の貫通孔を形成したことを特徴とする請求項１または２記載の防音カーペット。
【請求項４】
バッキング層が独立気泡構造の発泡樹脂からなると共に、前記発泡樹脂層中の独立気泡を貫通孔が貫通していて、前記独立気泡が貫通孔に開口していることを特徴とする請求項１〜３のいずれかに記載の防音カーペット。
【発明の詳細な説明】
【０００１】
【産業上の利用分野】
本発明は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなどに適用される防音カーペットに関し、詳細には優れた吸音効果を有する防音カーペットに関する。
【０００２】
【従来の技術】
従来、例えば自動車床面上には、フェルト層や不織布層を有して吸音性能に優れる床カーペットが敷かれている。
【０００３】
一方、この床カーペット上に載置される自動車用マットは、一般に不織基布にパイルを打ち込んだ繊維基材と、この繊維基材裏面に形成したバッキング層とから構成されていた。
【０００４】
ところが、自動車用マットにおけるバッキング層は、塩化ビニル樹脂などの合成樹脂からなり、遮音層として機能するようになっていたので、この自動車用マットを床カーペット上に載置した場合、風切り音などの車外からの騒音は、自動車用マットのバッキング層によって跳ね返されてしまい、車外からの騒音についての十分な対策がなされていなかった。
【０００５】
また、建物の室内や廊下の床面に敷設されるカーペットやマットについても同様に、繊維基材裏面のバッキング層が遮音層となっていて、カーペット上面から伝播する騒音については、これを跳ね返してしまい、十分な吸音対策がなされていなかった。
【０００６】
本発明者は、このような事情に鑑み鋭意研究の結果、さらに優れた吸音性能を有する防音カーペットを提供している（特許文献１参照）。
【０００７】
この防音カーペットは、「繊維基材の裏面側にバッキング層を形成した防音カーペットであって、当該防音カーペットに、その表裏を貫通する多数の貫通孔を形成したことを特徴とする防音カーペット」を要旨とするものである。
【０００８】
【特許文献１】
特開２００２−２３８７３０号公報（１〜３頁、図１〜３）
【０００９】
【発明が解決しようとする課題】
本発明者は、上記防音カーペットに関し、さらに防音性能に優れたカーペットについて、鋭意検討を重ねた結果、本発明を完成させるに至ったのである。
【００１０】
【課題を解決するための手段】
すなわち本発明は、
「表側繊維基材裏面に内側繊維基材およびまたはバッキング層を透孔性接着シートを介して接着したことを特徴とする防音カーペット」をその要旨とするものである。
【００１１】
本発明の防音カーペットにおけ表側繊維基材としては、例えば不織布、織物、編物、紙、あるいはこれらの１種若しくは２種以上を組み合わせた複合体を挙げることができる。また、表側繊維基材にはパイル糸を打ち込んで意匠性を高めることもできる。図示の例では表側繊維基材１１にパイル糸１２を所定のボリュームとなるように打ち込んで意匠性を高めている。
【００１２】
この表側繊維基材は、上記のごとき多孔質な素材を使用しているので、この表側繊維基材の中を音が通過する過程で摩擦熱として減衰し、吸音されるようになっている。
【００１３】
本発明の防音カーペットにおけ内側繊維基材としては、例えば不織布、織物、編物、紙、あるいはこれらの１種若しくは２種以上を組み合わせた複合体を挙げることができる。図示の例ではパイル糸１２を打ち込んだ表側繊維基材１１の裏面に後述の透孔性接着シート１４を介して内側繊維基材１３が接着されている。この内側繊維基材についても、表側繊維基材と同じく多孔質な素材を使用しているので、この表側繊維基材の中を音が通過する過程で摩擦熱として減衰し、吸音されるようになっている。
【００１４】
本発明の防音カーペットにおける透孔性接着シートには、蜘蛛の巣状接着剤からなり、接着時の熱およびまたは圧力で薄膜化されて成るもの、ホットメルト樹脂などの接着樹脂中に発泡剤を入れて混練、シート化したものなどを挙げることができる。図示の例では、パイル糸１２を打ち込んだ表側繊維基材１１と、内側繊維基材１３との間に蜘蛛の巣状接着剤１４を挟み込んで熱プレスすることで、表側繊維基材１１と内側繊維基材１３とを接着すると共に、その接着時の熱およびまたは圧力で蜘蛛の巣状接着剤１４は薄膜（フィルム）状となっている。
【００１５】
この透孔性接着シートは、多孔質な表側繊維基材、または表側繊維基材と内側繊維基材とに支持されて自由振動可能な状態に置かれる。このため、表側繊維基材を透過した音が、この透孔性接着シートに当たり、透孔を通して通過する過程で、該透孔性接着シートが自由振動し、音の減衰、吸音がなされるようになっている。またこの透孔性接着シートは、上述の接着、吸音という機能の他に、パイルを打ち込んだ表側繊維基材を使用する場合には、パイルの抜け止め材としても機能するようになっている。
【００１６】
バッキング層は、該カーペットの補強および保形、すべり止めを行う目的で、表側繊維基材または内側繊維基材裏面に形成されるものである。図示のバッキング層１５は独立気泡構造の発泡樹脂からなる。
【００１７】
【発明の実施の形態】
以下、本発明の防音カーペットを図面に示した実施の形態に従って説明する。図１および図２に示した防音カーペット１０は、家屋の室内や自動車の車室内の床面上に敷設するものである。
【００１８】
この防音カーペット１０は、目付３００ｇ／ｍ２のポリエステル不織布１２にパイルを打ち込んだ表側繊維基材１１と、目付３００ｇ／ｍ２のポリエステル不織布１２からなる内側繊維基材１３とを用い、これら表側繊維基材１１または内側繊維基材１２との間に、蜘蛛の巣状のウレタン系湿気硬化型接着剤１４を挟み込んでプレスすることで、表側繊維基材１１と内側繊維基材１３とを接着すると共に、接着時の圧力で蜘蛛の巣状接着剤１４を薄膜化させたものである。
【００１９】
また、防音カーペット１０にあっては、内側繊維基材１３の裏側にバッキング層１５が形成されている。バッキング層１５は、スチレンブタジエンゴム（ＳＢＳ）よりなる独立気泡型の発泡樹脂層であり、このバッキング層１５の裏面にはズレ止め用の突起１５ａが多数設けられている。
【００２０】
また、この防音カーペット１０は、直径が１．５ｍｍ程度の多数の貫通孔１６が該防音カーペット１０の表裏を貫通するように形成されている。
【００２１】
このように多数の貫通孔１６を形成した防音カーペット１０にあっては、例えばこれを自動車の車室内に載置したとき、室内の音がまず、表側繊維基材１１を通過する過程で吸音されることになる。
【００２２】
次いで、表側繊維基材１１を通過した音は透孔性接着シート１４に当たり、該透孔性接着シート１４が自由振動し、これによって吸音される。透孔性接着シート１４を透過した音は、内側繊維基材１３を通過する過程で吸音される。
【００２３】
この後、内側繊維基材１３を通過した音は、バッキング層１５に至る。バッキング層１５では貫通孔１６を形成したことにより、図３に示すように、各貫通孔１６内面に吸音穴１６ａが無数に形成されている。バッキング層１５はＳＢＳ樹脂を発泡させたものであるから、各発泡部分が貫通孔１６を形成することにより破壊され、貫通孔１６に開口するようになるのである。このため、貫通孔１６内に開口（露出）している無数の吸音穴１６ａでは、貫通孔１６の開口部から浸入してきた音が反射し、より効果的な吸音が行われることになる。
【００２４】
以上述べたとおり、本発明の防音カーペット１０では、表側繊維基材１１、透孔性接着シート１４、内側繊維基材１３、並びにバッキング層１５の４つの層を経過する過程で効果的な吸音がなされ、その後、貫通孔１６を通して該防音カーペット１０の裏側へと抜け出るようになっている。
【００２５】
図４に示す防音カーペット２０は、目付の異なる２枚の内側繊維基材、すなわち目付２００ｇ／ｍ２のポリエステル不織布からなる第１の内側繊維基材１３ａと、目付３５０ｇ／ｍ２のポリエステル不織布からなる第２の内側繊維基材１３ｂとを、前記透孔性接着シート１４とバッキング層１５との間に配置したものである。この防音カーペット２０の場合には、透孔性接着シート１４を透過した音が、まず粗い目付の第１の内側繊維基材１３ａを通過し、その後、密な目付の第２の内側繊維基材１３ｂを通過することで、２つの段階で吸音されるようになっており、より効果的な吸音が実現されるようになっている。
【００２６】
尚、図４に示す形態の場合、目付が異なるだけではなく、例えば第２の内側繊維基材１３ｂの構成繊維の繊維径や繊維長を、第１の内側繊維基材１３ａの構成繊維よりも細く、短くするなど、第１の内側繊維基材１３ａおよび第２の内側繊維基材１３ｂの密度勾配の大小を用途や使用状態、要求される吸音性能に合わせて適宜調整することもできる。
【００２７】
尚、本発明の範囲は、「請求の範囲」に定義されたとおりのものであり、例えば内側繊維基材を用いず、表側繊維基材に透孔性接着シートを介して直接バッキング層を接着してカーペットを構成したり、バッキング層を設けず、表側繊維基材に透孔性接着シートを介して内側繊維基材を接着してカーペットを構成したりするなど、その範囲に含まれる全ての変更、形態を採ることができる。
【００２８】
【発明の効果】
本発明の防音カーペットにあっては、表側繊維基材裏面に内側繊維基材およびまたはバッキング層を透孔性接着シートを介して接着したことから、前記接着剤としての透孔性接着シートが吸音材としても機能して、より効果的な吸音が実現できる。
【図面の簡単な説明】
【図１】本発明の防音カーペットの要部拡大組み立て斜視図。
【図２】同防音カーペットの要部拡大断面図。
【図３】図２に示す防音カーペットのバッキング層を示す要部拡大断面図。
【図４】本発明の防音カーペットの別例を示す要部拡大断面図。
【符号の説明】
１０・・・防音カーペット
１１・・・表側繊維基材
１３・・・内側繊維基材
１４・・・透孔性接着シート
１５・・・バッキング層
１６・・・貫通孔
【図１】
2004154446.tif 000003
【図２】
2004154446.tif 000004
【図３】
2004154446.tif 000005
【図４】
2004154446.tif 000006